(57)【特許請求の範囲】
【請求項１】
容器の開口縁から外側に張り出したフランジ部に重ねられる蓋体と、前記蓋体を前記フランジ部に重ねた状態に固定するロック部材とを備えたロック機構付き蓋において、
前記ロック部材は、
前記蓋体に表側から重ねられて前記蓋体の内外方向にスライドし、前記蓋体の内側へ前進したときにロック位置に配置され、前記蓋体の外側へ後退したときにロック解除位置に配置されるスライドベースと、
前記スライドベースの後端部から前記蓋体の裏側に折り返され、前記スライドベースが前記ロック位置に配置されたときに、前記スライドベースとの間に前記蓋体と前記フランジ部を挟み付けて固定し、前記スライドベースが前記ロック解除位置に配置されたときに、前記フランジ部より外側に配置されて前記蓋体と前記フランジの固定を解除するロック片と、を有し、
前記蓋体には、前記スライドベースに前方から突き当てられて、前記蓋体のうち前記フランジ部と重なる部分の裏側に位置するフランジ重なり領域に前記ロック片が進入することを規制し、前記スライドベースが前記ロック位置側へスライド操作されたときに、前記スライドベースと摺接して前記ロック片が前記フランジ重なり領域へ進入することを許容する内側進入規制部が設けられ、
前記スライドベースには、
スライド方向に延びて前記ロック片に連絡するベース本体と、
ベース本体の前端部からスライド方向と交差する方向に張り出した連絡突部と、
前記連絡突部から後側に延びて前記ベース本体との間に線状隙間を形成し、前記蓋体と係合して前記スライドベースを前記ロック位置に保持する一方、前記線状隙間を狭めるように弾性変形して前記蓋体との係合を解除する弾性係合片と、が備えられ、
前記内側進入規制部は、前記蓋体のうち前記スライドベースと摺接するスライドベース摺接面から突出し、前記スライドベースが前記ロック位置へ向けて前進したときに前記連絡突部に前方から突き当てられる当接突部で構成され、
前記当接突部は、前記スライドベースが前記ロック位置に配置されたときに前記線状隙間に受容されるロック機構付き蓋。
【請求項２】
前記スライドベース摺接面は、前記蓋体の表側面に配置されて前記スライドベースの裏面と摺接すると共に、前記弾性係合片は、前記スライドベースの幅方向に弾性変形し、
前記蓋体には、前記スライドベースを幅方向に挟むように対向して、前記スライドベースを前記蓋体の内外方向にガイドする１対の側方ガイド壁が設けられ、
前記１対の側方ガイド壁には、前記スライドベースが前記ロック位置に配置されたときに、前記弾性係合片に後側から当接するロック突部が形成された請求項１に記載のロック機構付き蓋。
【発明の詳細な説明】
【技術分野】
【０００１】
本発明は、容器の開口縁から外側に張り出したフランジ部に重ねられる蓋体と、蓋体をフランジ部に固定するロック部材とを備えたロック機構付き蓋に関する。
【背景技術】
【０００２】
従来、この種のロック機構付き蓋として、ロック部材が、蓋体の表側で蓋体の外縁部を横切るようにスライドするスライドベースと、スライドベースから蓋体の内側に折り返されてスライドベースに裏側から対向するロック片と、を有し、スライドベースが蓋体の内側へ移動したときに、スライドベースとロック片とで蓋体とフランジ部を挟みつけるものが知られている（例えば、特許文献１参照）。
【先行技術文献】
【特許文献】
【０００３】
【特許文献１】実開昭和６１−９１５４７号公報（図３及び図５）
【発明の概要】
【発明が解決しようとする課題】
【０００４】
しかしながら、上述した従来のロック機構付き蓋では、スライドベースが可動ストロークの全域にわたって自由にスライドするため、蓋体をフランジ部に重ねるときに、スライドベースがロック位置に配置されていると、ロック片がフランジ部と干渉して、フランジ部に蓋体を重ねることができなくなるという問題があった。このため、蓋体をフランジ部に重ねる際には、予めスライドベースを蓋体の外側に移動させておく必要があり、容器への取り付けに手間がかかるという問題があった。
【０００５】
本発明は、上記事情に鑑みてなされたもので、容器への取り付けを容易に行うことが可能なロック機構付き蓋の提供を目的とする。
【課題を解決するための手段】
【０００６】
上記目的を達成するためになされた請求項１の発明は、容器の開口縁から外側に張り出したフランジ部に重ねられる蓋体と、前記蓋体を前記フランジ部に重ねた状態に固定するロック部材とを備えたロック機構付き蓋において、前記ロック部材は、前記蓋体に表側から重ねられて前記蓋体の内外方向にスライドし、前記蓋体の内側へ前進したときにロック位置に配置され、前記蓋体の外側へ後退したときにロック解除位置に配置されるスライドベースと、前記スライドベースの後端部から前記蓋体の裏側に折り返され、前記スライドベースが前記ロック位置に配置されたときに、前記スライドベースとの間に前記蓋体と前記フランジ部を挟み付けて固定し、前記スライドベースが前記ロック解除位置に配置されたときに、前記フランジ部より外側に配置されて前記蓋体と前記フランジの固定を解除するロック片と、を有し、前記蓋体には、前記スライドベースに前方から突き当てられて、前記蓋体のうち前記フランジ部と重なる部分の裏側に位置するフランジ重なり領域に前記ロック片が進入することを規制し、前記スライドベースが前記ロック位置側へスライド操作されたときに、前記スライドベースと摺接して前記ロック片が前記フランジ重なり領域へ進入することを許容する内側進入規制部が設けられ、前記スライドベースには、スライド方向に延びて前記ロック片に連絡するベース本体と、ベース本体の前端部からスライド方向と交差する方向に張り出した連絡突部と、前記連絡突部から後側に延びて前記ベース本体との間に線状隙間を形成し、前記蓋体と係合して前記スライドベースを前記ロック位置に保持する一方、前記線状隙間を狭めるように弾性変形して前記蓋体との係合を解除する弾性係合片と、が備えられ、前記内側進入規制部は、前記蓋体のうち前記スライドベースと摺接するスライドベース摺接面から突出し、前記スライドベースが前記ロック位置へ向けて前進したときに前記連絡突部に前方から突き当てられる当接突部で構成され、前記当接突部は、前記スライドベースが前記ロック位置に配置されたときに前記線状隙間に受容されるロック機構付き蓋である。
【０００８】
請求項２の発明は、前記スライドベース摺接面は、前記蓋体の表側面に配置されて前記スライドベースの裏面に摺接すると共に、前記弾性係合片は、前記スライドベースの幅方向に弾性変形し、前記蓋体には、前記スライドベースを幅方向に挟むように対向して、前記スライドベースを前記蓋体の内外方向にガイドする１対の側方ガイド壁が設けられ、前記１対の側方ガイド壁には、前記スライドベースが前記ロック位置に配置されたときに、前記弾性係合片に後側から当接するロック突部が形成された請求項１に記載のロック機構付き蓋である。
【発明の効果】
【０００９】
［請求項１の発明］
請求項１の発明では、ロック解除位置に配置されたスライドベースが操作力を受けることなくロック位置側へスライドすると、蓋体に設けられた内側進入規制部がスライドベースに前方から突き当てられ、蓋体のうちフランジ部と重なる部分の裏側に位置するフランジ重なり領域にロック片が進入することを規制する。一方、スライドベースがロック位置側へスライド操作されるときには、内側進入規制部は、スライドベースと摺接して、ロック片がフランジ重なり領域へ進入することを許容する。このように、本発明のロック機構付き蓋によれば、スライドベースが操作力を受けないときには、ロック片のフランジ重なり領域への進入が規制されるので、従来のロック機構付き蓋のように、容器へ取り付ける前に予めスライドベースをロック解除位置へ配置する必要がなくなり、容器への取り付け作業を容易に行うことが可能となる。
【００１０】
また、本発明では、スライドベースがロック位置側へスライド操作されると、内側進入規制部としての当接突部が、連絡突部と摺接して、ベース本体と弾性係合片との間の線状隙間に受容される。本発明によれば、スライドベースがロック位置に配置されたときに、当接突部によって弾性係合片の弾性変形が抑制されるので、弾性係合片の係合が不意に解除されることが抑制される。
【００１１】
［請求項２の発明］
請求項２の発明によれば、蓋体に設けられた１対の側方ガイド壁によってスライドベースをガイドすることができるので、スライドベースがロック位置に配置されたときに、当接突部を線状隙間に確実に受容させることが可能となる。
【図面の簡単な説明】
【００１２】
【図１】本発明の第１実施形態に係るロック機構付き蓋が取り付けられた容器の斜視図
【図２】容器の斜視図
【図３】蓋体を上方から見た斜視図
【図４】蓋体を下方から見た斜視図
【図５】ロック部材装着部の一部破断斜視図
【図６】ロック部材の（Ａ）上方から見た斜視図、（Ｂ）下方から見た斜視図
【図７】ロック片がロック解除位置に配置された状態のロック機構付き蓋の平面図
【図８】ロック機構付き蓋及び容器の側断面図
【図９】フランジ部に重ねられた状態のロック機構付き蓋の側断面図
【図１０】ロック片がロック位置へ向かう途中のロック機構付き蓋の平面図
【図１１】ロック片がロック位置へ向かう途中のロック機構付き蓋の側断面図
【図１２】図１１における当接突部周辺の拡大図
【図１３】ロック片がロック位置に配置された状態のロック機構付き蓋の平面図
【図１４】図１３におけるＡ−Ａ断面図
【図１５】図１３におけるＢ−Ｂ断面図
【図１６】変形例に係るロック機構付き蓋の側断面図
【発明を実施するための形態】
【００１３】
［第１実施形態］
以下、本発明の第１実施形態を図１〜図１５に基づいて説明する。図１に示すように、本実施形態のロック機構付き蓋１０（以下、単に「蓋１０」という。）は、上端で開口した容器９０に取り付けられる。容器９０は、図２に示すように、平面視長方形状の底壁９１の外周部から包囲壁９２が起立した略直方体状をなし、包囲壁９２の上端部から外側に張り出した四角枠状のフランジ部９３を有している。そして、フランジ部９３の内側部分によって、容器９０の上端開口９０Ａが形成されている。フランジ部９３は、包囲壁９２の上端から外側に張り出した上端フランジ９３Ａと、包囲壁９２の上端より若干下方位置から外側に張り出して上端フランジ９３Ａと対向する下端フランジ９３Ｂと、上端フランジ９３Ａと下端フランジ９３Ｂとを連絡する複数の連絡リブ９３Ｃと、を備えている。
【００１４】
包囲壁９２のうち底壁９１の長手方向に延びた長辺側壁９２Ａの両端部には、取手受容部９４が形成されている。取手受容部９４は、長辺側壁９２Ａの上端部のうち容器９０の内側部分を陥没させてなり、容器９０の内側を向いた面に、取手（図示せず）を取り付けるための取付孔９５を備えている。
【００１５】
図１に示すように、蓋１０は、平面視長方形状をなす蓋体１１の各辺部にロック部材５０を取り付けてなる。図３に示すように、蓋体１１は、長方形状の主板１２の外周部から環状土手部１３が上方に突出した構造になっている。なお、以下では、蓋１０の上面側を表側、下面側を裏側と、適宜呼ぶこととする。
【００１６】
環状土手部１３は、主板１２の外周部から起立した内側包囲壁１３Ａと、内側包囲壁１３Ａに外側から対向する外側対向壁１３Ｂと、内側包囲壁１３Ａと外側包囲壁１３Ｂの上端部同士を連絡する上端連絡壁１３Ｃと、を備えてなり、環状土手部１３の裏側には、環状溝１３Ｍが形成されている（図４参照）。外側対向壁１３Ｂの下端部からは、主板１２より下方に配置されるスカート部１６が延設されている。
【００１７】
図３に示すように、環状土手部１３のうち蓋体１１の長手方向に延びた長辺土手部１４の両端部には、上方に開放し且つ環状土手部１３を内外に貫通する端部溝１４Ａが形成されている。また、環状土手部１３の各辺部の中間部には、端部溝１４Ａと同様に、上方に開放して環状土手部１３を内外に貫通する中間溝３１が形成されている。なお、中間溝３１の溝幅は、端部溝１４Ａの溝幅より広くなっている。
【００１８】
また、図３に示すように、環状土手部１３のうち蓋体１１の短手方向に延びた短辺土手部１５は、長辺土手部１４よりも蓋体１１の内外方向における幅が広くなっていて、短辺土手部１５の両端部には、蓋体１１の内側に位置する部分が下方に配置されるような段差部１８が形成されている。そして、短辺土手部１５のうち段差部１８より内側部分には、容器９０を蓋体１１の上に積み重ねたときに容器９０を下方から支持する支持突部１８Ｔが形成されている。
【００１９】
図４に示すように、蓋体１１の裏側には、蓋体１１を容器９０の上部に重ねたときに、容器９０のフランジ部９３（図２参照）に蓋体１１を仮止めするための係止突部１７が複数設けられている。複数の係止突部１７は、スカート部１６のうち上述した端部溝１４Ａ（図３参照）に対応する位置から内側に突出している。係止突部１７を側方から見た形状は、下方へ向かうにつれて蓋体１１の内側から外側へ向かう傾斜部１７Ｋを有した三角形状となっている。
【００２０】
図１に示すように、蓋体１１における各辺部の中間部には、ロック部材５０が蓋体１１の内外方向にスライド可能に装着されるロック部材装着部２０が形成されている。以下、ロック部材装着部２０及びロック部材５０について詳説する。
【００２１】
図３及び図５に示すように、ロック部材装着部２０は、上述した中間溝３１の底部に対応して配置され、中間溝３１の底部３２と、環状土手部１３から蓋体１１の内側に突出した包囲突部２１と、を備えている。
【００２２】
中間溝３１の底部３２は、蓋板１１の主板１２から外側に突出してスカート部１６と連絡する外側突壁３３と、外側突壁３３から上方に突出して中間溝３１の溝幅方向で対向した底部対向壁３４，３４と、それら底部対向壁３４，３４の上端部同士を連絡する架橋壁３５と、を備えている。そして、外側突壁３３と、底部対向壁３４，３４と、架橋壁３５とに囲まれた部分に、蓋体１１の内外方向に延びたスライドベース挿通孔３２Ａが形成されている。
【００２３】
包囲突部２１は、環状土手部１３側で開放した「コの字」形状をなし、包囲突部２１の内側に形成されたスライドベース受容部２６がスライドベース挿通孔３２Ａに連絡している。そして、スライドベース受容部２６の底面２６Ｍと、外側突壁３３の上面３３Ｍとによって、後述するロック部材５０のスライドベース５１と摺接するスライドベース摺接面２７が形成されている。
【００２４】
また、包囲突部２１のうちスライドベース受容部２６を挟んで対向する包囲対向壁２３，２３は、上述した底部対向壁３４，３４に連絡していて、それら包囲対向壁２３，２３と底部対向壁３４，３４とによって、蓋体１１の内外方向に延びてロック部材５０をスライド方向にガイドする側方ガイド壁２８，２８が形成されている。なお、包囲突部２１のうち包囲対向壁２３，２３を連絡する内側連絡壁２２は、ロック部材５０にスライド方向で突き当てられる。
【００２５】
側方ガイド壁２８，２８には、蓋体１１の内外方向の中間位置に段差部２８Ｄ，２８Ｄが設けられ、側方ガイド壁２８，２８のうち段差部２８Ｄ，２８Ｄより外側には、互いに接近するように台形状に突出したロック突部２５，２５が形成されている（図５には、一方のロック突部のみが示されている。）。そして、ロック突部２５と段差部２８Ｄとの間に、スライドベース受容部２６の左右方向の幅を広げる受容凹部２４が形成されている。
【００２６】
架橋壁３５には、蓋体１１の外側で開放したＵ字状の切欠部３５Ｋが形成されている。また、図８に示すように、架橋壁３５のうち蓋体１１の内側を向いた部分からは、抜止突部３６が垂下している。
【００２７】
図６（Ａ）に示すように、ロック部材５０は、略帯板状のスライドベース５１における長手方向の一端部からロック片６１が折り返された構造になっている。ここで、ロック部材５０のうちロック片６１が配された側を後側と呼ぶことにすると、スライドベース５１は、前側が幅狭となったベース本体５１Ｈにおける幅狭部５１Ａの両側に弾性係合片５３，５３を備えた構造になっていて、ロック片６１は、ベース５１本体における幅広部５１Ｂの後端部に連絡している。
【００２８】
ベース本体５１Ｈの幅広部５１Ｂの上面には、略半円状をなしてスライドベース５１をスライド操作するための指を受容する操作凹部５５が形成されている。また、幅広部５１Ｂのうち操作凹部５５の後側には、操作凹部５５に受容された指と係止する指掛突部５５Ｔが形成されている。
【００２９】
ベース本体５１Ｈの幅狭部５１Ａにおける前端部の上面には、後上がりに傾斜した上面傾斜部５８が設けられている。そして、幅狭部５１Ａの上面のうち上面傾斜部５８より後側部分に、前後方向に延びたスライド溝５７が形成されている。また、図６（Ｂ）に示すように、スライドベース５１の下面の前端部には、前上がりに傾斜した下面傾斜部５９が形成されている。
【００３０】
図６（Ａ）及び図６（Ｂ）に示すように、ロック片６１は、スライドベース５１の後端部（即ち、幅広部５１Ｂの後端部）から垂下した垂下壁６２と、垂下壁６２の下端から前方に延びてスライドベース５１と対向する挟持対向壁６３とで構成されている。挟持対向壁６３の前端部には、前下がりに傾斜した前端傾斜部６３Ｋが形成されている。なお、詳細には、挟持対向壁６３の前後方向の長さは、幅広部５１Ｂより若干短くなっていて、挟持対向壁６３は、幅狭部５１Ａの下方には配置されないようになっている。
【００３１】
ベース本体５１Ｈの幅狭部５１Ａの前端部からは、連絡突部５２，５２が左右両側に対をなして突出している。そして、上述した弾性係合片５３，５３は、連絡突部５２，５２から後側に直線状に延びて、幅狭部５１Ａとの間に線状隙間５４，５４を形成している。
【００３２】
図７及び図８に示すように、ロック部材５０がロック部材装着部２０に取り付けられた状態で、スライドベース５１は、蓋体１１のスライドベース挿通孔３２Ａに挿通されて、スライドベース摺接面２７の上に重ねられる。また、スライド溝５７には、架橋壁３５の抜止突部３６が受容され、スライドベース５１（ロック部材５０）は、スライド溝５７が延びる方向、即ち、蓋体１１の内外方向にスライド可能となっている。なお、抜止突部３６は、スライドベース５１がスライドベース挿通孔３２Ａに挿通されるときに、スライドベース５１の前端部に形成された上面傾斜部５８を摺動してスライド溝５７に受容される。
【００３３】
図７及び図８には、スライドベース５１が蓋体１１の内外方向で最も外側に配置された状態が示されている。この状態で、抜止突部３６は、スライド溝５７の前端に位置してスライド溝５７の内面に後側から当接し、これにより、ロック部材５０が蓋体１１の外側に脱落することが防がれている。また、この状態で、ロック片６１は、蓋体１１のスカート部１６より外側に配置されている。なお、図７及び図８に示すスライドベース５１の位置が本発明の「ロック解除位置」となっている。
【００３４】
図１３及び図１４には、スライドベース５１が蓋体１１の内外方向で最も内側に配置された状態が示されている。この状態で、スライドベース５１は包囲突部２１の内側連絡壁２２に突き当てられ、架橋壁３５の切欠部３５Ｋの下方にスライドベース５１の操作凹部５５が配置される。また、ロック片６１は、スカート部１６に形成されたロック片挿通孔１６Ａを貫通して、スカート部１６の内側に進入する。なお、図１３及び図１４に示すスライドベース５１の位置が本発明の「ロック位置」となっている。
【００３５】
次に、蓋１０の容器９０への取り付けについて説明する。蓋１０を容器９０に取り付けるには、まず、図８に示すように、スライドベース５１をロック解除位置に配置しておく。なお、後に説明するように、蓋１０を容器９０から取り外すときには、スライドベース５１はロック解除位置に配置されるので、この作業は、蓋１０を最初に容器９０へ取り付ける場合にのみ行えばよい。
【００３６】
次いで、図８から図９への変化に示すように、蓋体１１を容器９０の上に重ねる。このとき、蓋体１１における環状土手部１３がフランジ部９３の上方に配置され、外側突部３３が上端フランジ９３Ａの上に重ねられる。スカート部１６は、フランジ部９３の外側を囲むように配置される。なお、蓋体１１のうちフランジ部９３に重なる部分の裏側に位置する領域、即ち、図８において符号Ｒ１で示す領域が本発明に係るフランジ重なり領域Ｒ１となっている。
【００３７】
次いで、図１３及び図１４に示すように、スライドベース５１を蓋体１１の内側へと前進させて、ロック位置へと移動させる。スライドベース５１がロック位置へ向かう途中で、弾性係合片５３の係合突部５３Ｔがロック突部２５と干渉し、弾性係合片５３は線状隙間５４を狭めるように弾性変形する。なお、スライドベース５１は、幅方向で側方ガイド壁２８，２８に挟まれて蓋体１１の内外方向に案内されるので、スライドベース５１の左右方向のズレが抑制される。
【００３８】
スライドベース５１がロック位置に配置されると、係合突部５３Ｔがロック突部２５より前側に配置され、弾性係合片５３が復元する。そして、係合突部５３Ｔが受容凹部２４に受容される。この状態で、係合突部５３Ｔの後側には、ロック突部２５が配置されるので、スライドベース５１のロック解除位置への後退が規制され、スライドベース５１がロック位置に保持される。ロック片６１は、スカート部１６のロック片挿通孔１６Ａを貫通してフランジ重なり領域Ｒ１に進入し、スライドベース５１との間に外側突壁３３と上端フランジ９３Ａを挟み付ける。これにより、蓋１０（蓋体１１）が容器９０のフランジ部９３に固定される。なお、ロック片６１の挟持対向壁６３は、前端傾斜部６３Ｋによって上端フランジ９３Ａの下方へとスムーズに案内される。
【００３９】
蓋１０（蓋体１１）のフランジ部９３への固定を解除するには、スライドベース５１をロック解除位置へと移動させる。具体的には、架橋壁３５の切欠部３５Ｋを通して操作凹部５５に指を受容させ、その指で指掛突部５５Ｔを外側に押す。
【００４０】
スライドベース５１がロック解除位置へ移動する途中で、弾性係合片５３の係合突部５３Ｔはロック突部２５と干渉し、弾性係合片５３は、線状隙間５４を狭めるように弾性変形する。そして、スライドベース５１がロック解除位置に配置されると、係合突部５３Ｔがロック突部２５よりも後側に配置され、弾性係合片５３が復元する。
【００４１】
ところで、スライドベース５１がロック位置とロック解除位置との間を自由にスライド可能となっていると、蓋体１１をフランジ部９３へ重ねるときにスライドベース５１がロック位置に配置されている場合に、ロック片６１が蓋体１１とフランジ部９３との間に挟まれて破損するという問題が生じる。また、このようなロック片６１の破損を防止すべく、蓋体１１をフランジ部９３へ重ねる前に、ロック片６１をロック解除位置へ配置することにすると、蓋１０の取り付けに手間がかかるという別の問題が生じる。これに対し、本実施形態の蓋１０では、以下に説明するように、スライドベース５１の自由なスライドが規制されることで、蓋１０の取り付けが容易に行えるようになっている。
【００４２】
即ち、図５に示すように、本実施形態の蓋１０では、スライドベース摺接面２７から当接突起４５（本発明の「内側進入規制部」に相当する。）が突出している。図１０に示すように、当接突起４５は、スライドベース５１の幅方向に対をなして配置され、側方ガイド壁２８に形成された受容凹部２４よりも蓋体１１の内側に配置されている。また、当接突部４５のうち蓋体１１の内側に配置される部分には、蓋体１１の外側に向かってスライドベース摺接面２７からの突出量が大きくなるテーパ部４５Ａが形成されている（図１２参照）。なお、当接突部４５の突出量は、スライドベース５１の下部に形成された下面傾斜部５９の高さよりも低くなっている。
【００４３】
図１０及び図１１に示すように、スライドベース５１がロック解除位置からロック位置へ向かって前進すると、スライドベース５１に前側から当接突起４５が突き当てられる。このとき、ロック片６１の前端部はスカート部１６のロック片挿通孔１６Ａ内に位置し、ロック片６１はフランジ重なり領域Ｒ１より外側に配置されている。
【００４４】
詳細には、図１２に示すように、当接突部４５は、スライドベース５１の下面傾斜部５９と当接する。ここで、スライドベース５１にロック位置へと移動させる操作力が作用していない状態では、スライドベース５１は、図１１に示す位置よりロック位置側（図１１の左側）へ前進することが規制される。
【００４５】
一方、スライドベース５１にロック位置へと移動させる操作力が作用した状態では、スライドベース５１の下面傾斜部５９が当接突部４５と摺接し、スライドベース５１の連絡突部５２が当接突部４５の上に乗り上げる。このとき、スライドベース５１は、前端部が上方に配置されるように撓む。そして、スライドベース５１がロック位置側へ前進して、当接突部４５が連絡突部５２より後側に配置されると、図１３及び図１５に示すように、当接突部４５は、線状隙間５４内に受容され、スライドベース５１の撓みが解消される。ここで、本実施形態では、スライドベース５１がロック位置に配置されたときに、当接突部４５が線状隙間５４に受容されることで、弾性係合片５３の弾性変形が抑制される。これにより、弾性係合片５３の係合（スライドベース５１のロック位置への保持）が不意に解除されることが抑制される。また、上述したように、当接突部４５は受容凹部２４よりも蓋体１１の内側に配置されているので、当接突部４５は線状隙間５４の前側部分のみに受容される。これにより、弾性係合片５３を弾性変形可能とするスペース（線状隙間５４の後側部分）が確保される。
【００４６】
なお、スライドベース５１がロック解除位置へスライド操作されたときには、当接突部４５のテーパ部４５Ａによって、スライドベース５１の連絡突部５２が当接突部４５の上に乗り上げるように案内される。このとき、スライドベース５１は、前端部が上方に配置されるように撓む。そして、連絡突部５２が当接突部４５より後側に配置されると、スライドベース５１の撓みが解消される。
【００４７】
本実施形態に係る蓋１０の構成に関する説明は以上である。次に、蓋１０の作用効果について説明する。
【００４８】
本実施形態の蓋１０では、ロック解除位置に配置されたスライドベース５１が操作力を受けることなくロック位置側へ前進すると、蓋体１１に設けられた当接突部４５がスライドベース５１に前方から突き当てられ、蓋体１１のうちフランジ部９３と重なる部分の裏側に位置するフランジ重なり領域Ｒ１にロック片６１が進入することを規制する。一方、スライドベース５１がロック位置側へスライド操作されるときには、当接突部４５は、スライドベース５１と摺接して、ロック片６１がフランジ重なり領域Ｒ１へ進入することを許容する。このように、本実施形態の蓋１０によれば、スライドベース５１が操作力を受けないときには、ロック片６１のフランジ重なり領域Ｒ１への進入が規制されるので、従来のロック機構付き蓋のように、容器９０へ取り付ける際にスライドベース５１をロック解除位置へ配置する必要がなくなり、容器への取り付け作業を容易に行うことが可能となる。
【００４９】
また、当接突部４５は、スライドベース５１がロック位置側へスライド操作されたときに、スライドベース５１の連絡突部５２と摺接し、スライドベース５１と弾性係合片５３との間の線状隙間５４に受容される。本実施形態によれば、スライドベース５１がロック位置に配置されたときに、当接突部４５によって弾性係合片５３の弾性変形が抑制されるので、弾性係合片５３の係合が不意に解除されることが抑制される。しかも、スライドベース５１は、蓋体１１に設けられた１対の側方ガイド壁２８，２８によってガイドされるので、スライドベース５１がロック位置に配置されたときに、当接突部４５を線状隙間５４に確実に受容させることが可能となる。
【００５３】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００５４】
（１）上記実施形態のロック機構付き蓋１０では、スライドベース５１は、ロック解除位置とロック位置との間の中間位置で当接突部４５と当接する構成であったが、図１６に示すように、ロック解除位置で当接突部４５と当接する構成であってもよい。
【００５７】
（２）上記実施形態では、ロック片６１は、スライドベース５１がロック位置に配置されたときに、スカート部１６に形成されたロック片挿通孔１６Ａを貫通する構成であったが、スカート部１６に下方に開放した切欠部を形成し、その切欠部に挿通される構成であってもよい。また、蓋体１１は、スカート部１６を備えない構成であってもよい。
【符号の説明】
【００５８】
１０    ロック機構付き蓋
１１    蓋体
４５    当接突部
５０    ロック部材
５１    スライドベース
５３    弾性係合片
５４    線状隙間
６１    ロック片
【図１】
0006456720.tif 000002
【図２】
0006456720.tif 000003
【図３】
0006456720.tif 000004
【図４】
0006456720.tif 000005
【図５】
0006456720.tif 000006
【図６】
0006456720.tif 000007
【図７】
0006456720.tif 000008
【図８】
0006456720.tif 000009
【図９】
0006456720.tif 000010
【図１０】
0006456720.tif 000011
【図１１】
0006456720.tif 000012
【図１２】
0006456720.tif 000013
【図１３】
0006456720.tif 000014
【図１４】
0006456720.tif 000015
【図１５】
0006456720.tif 000016
【図１６】
0006456720.tif 000017